(57)【特許請求の範囲】
【請求項１】
RAN（RADIO  ACCESS  NETWORK）ノードに応用されるトラフィックステアリングの制御装置であって、
トラフィックステアリング指示情報を確定するための確定ユニット；及び
前記トラフィックステアリング指示情報をユーザ装置に送信するための送信ユニットであって、前記ユーザ装置は、前記トラフィックステアリング指示情報に基づいて、対応するトラフィックをトラフィックステアリングターゲットにステアリングする、送信ユニットを含み、
前記トラフィックステアリング指示情報は、トラフィックステアリング比率である、制御装置。
【請求項２】
請求項1に記載の制御装置であって、
前記トラフィックステアリング指示情報は、トラフィックステアリング比率及びシフト範囲；又は、トラフィックステアリングターゲット及びトラフィックステアリング比率；又は、トラフィックステアリングターゲット、トラフィックステアリング比率及びシフト範囲；又は、トラフィックステアリングターゲット、トラフィックステアリング及びオフロードされ得るAPN（ACCESS  POINT  NAME）及び/又はベアラのIDである、制御装置。
【請求項３】
請求項1に記載の制御装置であって、
前記ユーザ装置がANDSF（ACCESS  NETWORK  DISCOVERY  AND  SELECTION  FUNCTION）をサポートし、且つ前記RAN（RADIO  ACCESS  NETWORK）ノードが前記ユーザ装置に関するANDSF（ACCESS  NETWORK  DISCOVERY  AND  SELECTION  FUNCTION）情報を得ることができる場合、前記トラフィックステアリング指示情報は、トラフィックステアリング比率；又は、トラフィックステアリングターゲット及びトラフィックステアリング比率である、制御装置。
【請求項４】
請求項1に記載の制御装置であって、
前記ユーザ装置がANDSF（ACCESS  NETWORK  DISCOVERY  AND  SELECTION  FUNCTION）をサポートするが、前記RAN（RADIO  ACCESS  NETWORK）ノードが前記ユーザ装置に関するANDSF（ACCESS  NETWORK  DISCOVERY  AND  SELECTION  FUNCTION）情報を得ることができない場合、前記トラフィックステアリング指示情報は、トラフィックステアリング比率及びシフト範囲；又は、トラフィックステアリングターゲット、トラフィックステアリング比率及びシフト範囲である、制御装置。
【請求項５】
請求項1に記載の制御装置であって、
ユーザ装置がANDSF（ACCESS  NETWORK  DISCOVERY  AND  SELECTION  FUNCTION）をサポートしない場合、前記トラフィックステアリング指示情報は、トラフィックステアリングターゲット、トラフィックステアリング及びオフロードされ得るAPN（ACCESS  POINT  NAME）及び/又はベアラのIDである、制御装置。
【請求項６】
請求項1に記載の制御装置であって、
前記ユーザ装置が送信したトラフィックステアリング指示情報を受信するための受信ユニットを更に含み、
前記確定ユニットは、受信したトラフィックステアリング指示情報に基づいて、前記トラフィックステアリング比率を確定する、制御装置。
【請求項７】
請求項6に記載の制御装置であって、
受信したトラフィックステアリング指示情報は、トラフィックステアリングターゲット及びトラフィックステアリングの提案比率；又は、トラフィックステアリングの提案比率；又は、各測定対象についてのトラフィックステアリング比率を含む、制御装置。
【請求項８】
請求項7に記載の制御装置であって、
受信したトラフィックステアリング指示情報がトラフィックステアリングの提案比率のみを含む場合、トラフィックステアリングターゲット及びオフロードされ得るAPN（ACCESS  POINT  NAME）及び/又はベアラのIDを確定するための第二確定ユニットを更に含み、
前記送信ユニットは、前記トラフィックステアリングターゲット、前記トラフィックステアリング比率、及び前記オフロードされ得るAPN（ACCESS  POINT  NAME）及び/又はベアラのIDを前記ユーザ装置に送信し、前記ユーザ装置は、前記トラフィックステアリング比率及び前記オフロードされ得るAPN（ACCESS  POINT  NAME）及び/又はベアラのIDに基づいて、対応するトラフィックを前記トラフィックステアリングターゲットにステアリングする、制御装置。
【請求項９】
請求項8に記載の制御装置であって、
受信したトラフィックステアリング指示情報がトラフィックステアリングターゲット及びトラフィックステアリングの提案比率を含む場合、前記RAN（RADIO  ACCESS  NETWORK）ノードのノレッジ（KNOWLEDGE）に基づいて、RAN（RADIO  ACCESS  NETWORK）補助情報及び前記トラフィックステアリング比率を更新するための第三確定ユニットを更に含み、
前記送信ユニットは、更新後の前記トラフィックステアリング比率を前記ユーザ装置に送信し、前記ユーザ装置は、該トラフィックステアリング比率に基づいて、対応するトラフィックを前記トラフィックステアリングターゲットにステアリングする、制御装置。
【請求項１０】
請求項8に記載の制御装置であって、
受信したトラフィックステアリング指示情報が各測定対象についてのトラフィックステアリングの提案比率を含む場合、前記RAN（RADIO  ACCESS  NETWORK）ノードのノレッジ（KNOWLEDGE）に基づいて、各測定対象についてのトラフィックステアリングの提案比率のうちからトラフィックステアリング比率を選択してトラフィックステアリングターゲットを確定するための第四確定ユニットを更に含み、
前記送信ユニットは、前記トラフィックステアリング比率及び前記トラフィックステアリングターゲットを前記ユーザ装置に送信し、前記ユーザ装置は、前記トラフィックステアリング比率に基づいて、対応するトラフィックを前記トラフィックステアリングターゲットにステアリングする、制御装置。
【請求項１１】
ユーザ装置に応用されるトラフィックステアリングの制御装置であって、
RAN（RADIO  ACCESS  NETWORK）ノードが送信したトラフィックステアリング更新情報を受信するための受信ユニット；及び
前記トラフィックステアリング更新情報に基づいて、対応するトラフィックをトラフィックステアリングターゲットにステアリングするための処理ユニットを含み、
前記トラフィックステアリング更新情報は、トラフィックステアリング比率である、制御装置。
【請求項１２】
請求項11に記載の制御装置であって、
前記処理ユニットは、
前記トラフィックステアリング更新情報がトラフィックステアリング比率である場合、
トラフィックステアリングターゲットを確定するための第一確定モジュール；及び
前記トラフィックステアリング比率に基づいて、対応するトラフィックを前記トラフィックステアリングターゲットにステアリングするための第一処理モジュールを含む、制御装置。
【請求項１３】
請求項11に記載の制御装置であって、
前記処理ユニットは、
前記トラフィックステアリング更新情報がトラフィックステアリング比率及びシフト範囲である場合、
トラフィックステアリングターゲットを確定するための第二確定モジュール；及び
前記トラフィックステアリング比率及び前記シフト範囲に基づいて、対応するトラフィックを前記トラフィックステアリングターゲットにステアリングするための第二処理モジュールを含む、制御装置。
【請求項１４】
請求項11に記載の制御装置であって、
前記処理ユニットは、
前記トラフィックステアリング更新情報がトラフィックステアリングターゲット及びトラフィックステアリング比率である場合、
前記トラフィックステアリング比率に基づいて、対応するトラフィックを前記トラフィックステアリングターゲットにステアリングするための第三処理モジュールを含む、制御装置。
【請求項１５】
請求項11に記載の制御装置であって、
前記処理ユニットは、
前記トラフィックステアリング更新情報がトラフィックステアリングターゲット、トラフィックステアリング比率及びシフト範囲である場合、
前記トラフィックステアリング比率及び前記シフト範囲に基づいて、対応するトラフィックを前記トラフィックステアリングターゲットにステアリングするための第四処理モジュールを含む、制御装置。
【請求項１６】
請求項11に記載の制御装置であって、
前記処理ユニットは、
前記トラフィックステアリング更新情報がトラフィックステアリングターゲット、トラフィックステアリング比率及びオフロードされ得るAPN（ACCESS  POINT  NAME）及び/又はベアラのIDである場合、
前記トラフィックステアリング比率及び前記オフロードされ得るAPN（ACCESS  POINT  NAME）及び/又はベアラのIDに基づいて、対応するトラフィックを前記トラフィックステアリングターゲットにステアリングするための第五処理モジュールを含む、制御装置。
【請求項１７】
請求項11に記載の制御装置であって、
トラフィックステアリング指示情報を確定するための確定ユニット；及び
前記トラフィックステアリング指示情報をRAN（RADIO  ACCESS  NETWORK）ノードに送信するための送信ユニットであって、前記RAN（RADIO  ACCESS  NETWORK）ノードは、トラフィックステアリング比率を決定し、前記ユーザ装置に前記トラフィックステアリング更新情報を送信する、送信ユニットを更に含む、制御装置。
【請求項１８】
請求項17に記載の制御装置であって、
送信したトラフィックステアリング指示情報は、トラフィックステアリングターゲット及びトラフィックステアリングの提案比率；又は、トラフィックステアリングの提案比率；又は、各測定対象についてのトラフィックステアリングの提案比率である、制御装置。
【請求項１９】
請求項17に記載の制御装置であって、
前記ユーザ装置が前記RAN（RADIO  ACCESS  NETWORK）ノードによりフィードバックされた前記トラフィックステアリング更新情報を受信した場合、前記トラフィックステアリング更新情報に基づいて、トラフィックステアリング比率を調整するための調整ユニットを更に含み、
前記処理ユニットは、調整後のトラフィックステアリング比率に基づいて、対応するトラフィックをトラフィックステアリングターゲットにステアリングする、制御装置。
【請求項２０】
請求項19に記載の制御装置であって、
前記トラフィックステアリング更新情報は、トラフィックステアリングターゲット及びトラフィックステアリング比率；又は、トラフィックステアリングターゲット、トラフィックステアリング比率及びオフロードされ得るAPN（ACCESS  POINT  NAME）及び/又はベアラのIDを含む、制御装置。
【発明の詳細な説明】
【技術分野】
【０００１】
本発明は、通信分野に関し、特に、3GPP（3rd  Generation  Partnership  Project）RAN（Radio  Access  Network）とWLAN（Wireless  Local  Area  Networks）との相互操作プロセスにおけるトラフィックステアリング（traffic  steering）の制御方法、装置及び通信システム関する。
【背景技術】
【０００２】
今のところ、3GPP  RAN技術では、無線アクセスのためのネットワークは、UTRAN（UMTS  Terrestrial  Radio  Access  Network、UMTS（Universal  Mobile  Telecommunications  System））及びE-UTRAN（Evolved  UTRAN）を含む。また、WLANネットワークは、世界中の多くの国で、オペレーターが幅広く構築（deploy）するもう１つの無線アクセスネットワークである。それは、無線アクセスシステム、インテリジェント交通無線通信システム、ピアツーピア又はピアツーマルチピア通信システムなどに用いることができる。これらのネットワークは、授権（authorization）する必要がなく、誰でも関連要求に合致する機器を採用して使用することができる。無線サービスが豊富になるにつれて、無線データトラフィックが迅速に増え、従来の3GPP  RANのロードが益々重くなる。3GPP  RANとWLANとの相互操作は、ロード増大問題を解決する方法の１つである。
【０００３】
3GPP  RANとWLANとの相互操作は、RANノードの補助又は制御により、UE（User  Equipment／ユーザ装置；ユーザ端末、ユーザ又は端末とも称される）又はUE内のオフロード可能なトラフィックの異なる無線アクセスネットワーク間のステアリングを実現する。具体的に言えば、RANノードは、UEに補助情報又は指示を提供し、UEは、該情報又は指示に基づいて、アクセス可能な無線ネットワークを選択し、又は、ステアリング可能なトラフィックを対応する無線アクセスネットワークにステアリングする。しかし、留意しなければならないのは、WLANが競争メカニズムに基づくものであり、且つ構築が柔軟であるため、干渉が存在する可能性があり、又は、競争時間が比較的長いなどの問題もあり、これにより、無線サービスの品質を保証することができない。
【０００４】
なお、上述の背景技術の紹介は、本発明の技術案を明確且つ完全に説明し、当業者がそれを理解し得るためだけのものである。これらの案は、本発明の背景技術の部分に記述されているため、当業者に周知であると解釈されてはいけない。
【発明の概要】
【発明が解決しようとする課題】
【０００５】
3GPP  RANとWLANのRAN側での相互操作プロセスでは、どの無線アクセスネットワークにトラフィックをステアリングするかを確定する時に、従来の確定方法に従えば、RANレベルのトラフィックステアリング制御がないため、不適切な数量のトラフィックがステアリングされることがあり、これは、大量の端末上で同時に発生する可能性がある。このように、端末のトラフィックは、伝送完了までかなり時間がかかり、ひいては、最終的に伝送失敗、又はトラフィックが異なる無線アクセスネットワーク間で繰り返してステアリングされるようになるおそれがある。よって、如何に端末と基地局との間でのトラフィックステアリング（量／比率）のネゴシエーションを保証するかは、解決すべき問題である。
【０００６】
上述の問題を解決するために、本発明の実施例は、トラフィックステアリングの制御方法、装置及び通信システムを提供する。
【課題を解決するための手段】
【０００７】
本発明の実施例の第一側面によれば、トラフィックステアリングの制御方法が提供され、前記方法は、RANノードに応用され、そのうち、前記方法は、
トラフィックステアリング指示情報を確定し；及び
前記トラフィックステアリング指示情報をユーザ装置に送信し、これにより、前記ユーザ装置は、前記トラフィックステアリング指示情報に基づいて、対応するトラフィックをトラフィックステアリングターゲットにステアリングすることを含む。
【０００８】
本発明の実施例の第二側面によれば、トラフィックステアリングの制御方法が提供され、前記方法は、ユーザ装置に応用され、そのうち、前記方法は、
RANノードが送信したトラフィックステアリング指示情報を受信し；及び
前記トラフィックステアリング指示情報に基づいて、対応するトラフィックをトラフィックステアリングターゲットにステアリングすることを含む。
【０００９】
本発明の実施例の第三側面によれば、トラフィックステアリングの制御方法が提供され、前記方法は、ユーザ装置に応用され、そのうち、前記方法は、
トラフィックステアリング指示情報を確定し；及び
前記トラフィックステアリング指示情報をRANノードに送信し、これにより、前記RANノードは、トラフィックステアリング比率を決定することを含む。
【００１０】
本発明の実施例の第四側面によれば、トラフィックステアリングの制御方法が提供され、前記方法は、RANノードに応用され、そのうち、前記方法は、
ユーザ装置が送信したトラフィックステアリング指示情報を受信し；
前記トラフィックステアリング指示情報に基づいて、トラフィックステアリング比率を確定し；及び
前記トラフィックステアリング比率を前記ユーザ装置に送信し、これにより、前記ユーザ装置は、前記トラフィックステアリング比率に基づいて、対応するトラフィックをトラフィックステアリングターゲットにステアリングすることを含む。
【００１１】
本発明の実施例の第五側面によれば、トラフィックステアリングの制御装置が提供され、前記装置は、RANノードに応用され、そのうち、前記装置は、
確定ユニットであって、トラフィックステアリング指示情報を確定するためのもの；及び
送信ユニットであって、前記トラフィックステアリング指示情報をユーザ装置に送信し、これにより、前記ユーザ装置は、前記トラフィックステアリング指示情報に基づいて、対応するトラフィックをトラフィックステアリングターゲットにステアリングする、ものを含む。
【００１２】
本発明の実施例の第六側面によれば、トラフィックステアリングの制御装置が提供され、前記装置は、ユーザ装置に応用され、そのうち、前記装置は、
受信ユニットであって、RANノードが送信したトラフィックステアリング指示情報を受信するためのもの；及び
処理ユニットであって、前記トラフィックステアリング指示情報に基づいて、対応するトラフィックをトラフィックステアリングターゲットにステアリングするためのものを含む。
【００１３】
本発明の実施例の第七側面によれば、トラフィックステアリングの制御装置が提供され、前記装置は、ユーザ装置に応用され、そのうち、前記装置は、
確定ユニットであって、トラフィックステアリング指示情報を確定するためのもの；及び
送信ユニットであって、前記トラフィックステアリング指示情報をRANノードに送信し、これにより、前記RANノードはトラフィックステアリング比率を決定するものを含む。
【００１４】
本発明の実施例の第八側面によれば、トラフィックステアリングの制御装置が提供され、前記装置は、RANノードに応用され、そのうち、前記装置は、
受信ユニットであって、ユーザ装置が送信したトラフィックステアリング指示情報を受信するためのもの；
第一確定ユニットであって、前記トラフィックステアリング指示情報に基づいてトラフィックステアリング比率を確定するためのもの；及び
送信ユニットであって、前記トラフィックステアリング比率を前記ユーザ装置に送信し、これにより、前記ユーザ装置は、前記トラフィックステアリング比率に基づいて、対応するトラフィックをトラフィックステアリングターゲットにステアリングするものを含む。
【００１５】
本発明の実施例の第九側面によれば、ユーザ装置が提供され、前記ユーザ装置は、前述の第六側面又は第七側面に記載のトラフィックステアリングの制御装置を含む。
【００１６】
本発明の実施例の第十側面によれば、RANノードが提供され、前記RANノードは、前述の第五側面又は第八側面に記載のトラフィックステアリングの制御装置を含む。
【００１７】
本発明の実施例の第十一側面によれば、通信システムが提供され、前記通信システムは、前述の第九側面に記載のユーザ装置及び前述の第十側面に記載のトラフィックステアリングの制御装置を含む。
【００１８】
本発明の実施例の他の側面によれば、コンピュータ可読プログラムが提供され、そのうち、トラフィックステアリングの制御装置又はユーザ装置中で前記プログラムを実行する時に、前記プログラムは、コンピュータに、前記トラフィックステアリングの制御装置又はユーザ装置中で前述の第二側面又は第三側面に記載のトラフィックステアリングの制御方法を実行させる。
【００１９】
本発明の実施例の他の側面によれば、コンピュータ可読プログラムを記憶した記憶媒体が提供され、そのうち、前記コンピュータ可読プログラムは、コンピュータに、トラフィックステアリングの制御装置又はユーザ装置中で前述の第二側面又は第三側面に記載のトラフィックステアリングの制御方法を実行させる。
【００２０】
本発明の実施例は、さらに、コンピュータ可読プログラムを提供し、そのうち、トラフィックステアリングの制御装置又はRANノード中で前記プログラムを実行する時に、前記プログラムは、コンピュータに、トラフィックステアリングの制御装置又はRANノード中で前述の第一側面又は第四側面に記載のトラフィックステアリングの制御方法を実行させる。
【００２１】
本発明の実施例の他の側面によれば、コンピュータ可読プログラムを記憶した記憶媒体が提供され、そのうち、前記コンピュータ可読プログラムは、コンピュータに、トラフィックステアリングの制御装置又は基地局中で前述の第一側面又は第四側面に記載のトラフィックステアリングの制御方法を実行させる。
【００２２】
本発明の実施例の有益な効果は、本発明の実施例により、RANレベル上での3GPP  RANとWLANとの間のロードバランスを保証することができ、従来のメカニズムに比べ、ユーザ体験及びシステム性能を向上させることができる。
【００２３】
後述の説明及び図面に基づいて、本発明の特定の実施方式を詳細に開示し、本発明の原理が採用され得る方式を明確にする。なお、本発明の実施方式は、範囲上でそれによって限定されない。添付した特許請求の範囲の精神及び技術的範囲内では、本発明の実施方式は、あらゆる変形、変更に及び代替によるものも含む。
【００２４】
１つの実施方式について説明した及び／又は示した特徴は、同じ又は類似した方式で、１つ又は複数の他の実施方式に使用し、他の実施方式における特徴と組み合わせ、又は、他の実施方式における特徴を置換することができる。
【００２５】
なお、「包括／含む」のような用語は、本明細書に使用する時に、特徴、装置全体、ステップ又はアセンブリの存在を指すが、１つ又は複数の他の特徴、装置全体、ステップ又はアセンブリの存在又は付加を排除しないことをも指す。
【図面の簡単な説明】
【００２６】
含まれている図面は、本発明の実施例への更なる理解を提供するために用いられ、これらの図面は、本明細書の一部を構成しており、本発明の実施形態を例示し、また、文字記載とともに本発明の原理を説明するために用いられる。また、明らかのように、以下に記載されている図面は、本発明の幾つかの実施例を示すためのものに過ぎず、当業者は、創造性のある労働をせずに、これらの図面に基づいて他の図面を得ることもできる。
【図１】アクセスネットワーク選択及びトラフィックステアリングを実現する１つの実施方式のUE側処理のフローチャートである。
【図２】アクセスネットワーク選択及びトラフィックステアリングを実現するもう１つの実施方式の情報交換のフローチャートである。
【図３】実施例1のトラフィックステアリングの制御方法のフローチャートである。
【図４】実施例2のトラフィックステアリングの制御方法のフローチャートである。
【図５】実施例3のトラフィックステアリングの制御方法のフローチャートである。
【図６】実施例4のトラフィックステアリングの制御方法のフローチャートである。
【図７】実施例5のトラフィックステアリングの制御装置を示す図である。
【図８】実施例6のトラフィックステアリングの制御装置を示す図である。
【図９】実施例7のトラフィックステアリングの制御装置を示す図である。
【図１０】実施例8のトラフィックステアリングの制御装置を示す図である。
【図１１】実施例9のユーザ装置の構成図である。
【図１２】実施例10のRANノードの構成図である。
【図１３】実施例11の通信システムのトポロジー構成図である。
【発明を実施するための形態】
【００２７】
添付した図面及び本明細書により、本発明の実施例の前述及び他の特徴は、より明確になる。なお、明細書及び図面では、本発明の特定の実施方式が具体的に開示されているが、それらは、本発明の原理を採用し得る一部のみの実施方式である。また、理解すべきは、本発明は、記載されている実施方式に限定されず、添付した特許請求の範囲に属する全ての変更、変形及び代替によるものも含む。以下、図面を参照しながら、本発明の各種の実施方式を説明する。これらの実施方式は、例示に過ぎず、本発明を制限しない。
【００２８】
3GPP  RANとWLANとの相互操作プロセスでは、アクセスネットワーク選択及びトラフィックステアリングを実現するために、今のところ、次のような３種類のRAN側の方法が議論されており、即ち、方法１：UEにANDSF（Access  Network  Discovery  and  Selection  Function）が存在すれば、その中に規定されるルールを用いて、どのアクセスネットワークにどのようなステアリング可能なトラフィックをステアリングするかを確定し；方法２：ANDSFが存在しなければ、UEは、RAN側から提供される測定量の閾値及びプロトコルに規定されるルールに基づいて、どのアクセスネットワークに全てのステアリング可能なトラフィックをステアリングするかを確定し；方法３：RAN側は、UEが幾つかのアクセスネットワークの幾つかの測定量を測定するように要求し、測定結果報告のトリガー条件を定義し；UEが報告した測定結果、基地局の現在の状態、及びWLAN  AP（Access  Point）から収集可能な情報に基づいて、このUEがどのアクセスネットワークにどのようなトラフィックをステアリングするかを確定し、そして、命令を送信し、UEがトラフィックステアリングを完了するように指示する。
【００２９】
図1は、方法１及び方法２におけるUEの処理のフローチャートである。図2は、方法３における情報交換のフローチャートである。AP1及びAP2が全て使用可能なWLANネットワークであるとすると、上述のプロセスに基づいてUE1が基地局からAP1にトラフィックをステアリングすれば、それは、一部又は全てのステアリング可能なPDN（Packet  Data  Network）接続をAP1にステアリングする。この時に、基地局のロードが70%であり、AP1のロードが60%であり、基地局及びAP1の重畳（overlap）カバレッジには、大量のUEsがあるとする。ANDSF無しの場合、UE1は、全てのステアリング可能なPDN接続をAP1にステアリングすると決定し、また、この場合、大量のUEsが同時に同じ決定をする可能性があり、これにより、AP1のオーバーロードを引き起こしてしまう。AP1がオーバーロードになる場合、このAP1に接続されるほぼ全てのUEsは、トラフィックを伝送し得るリソースを競争により得るまで、かなり長い時間待つ必要があり、これにより、ユーザ体験が悪くなる。より悪いのは、UEsが、基地局へのトラフィックステアリングを再び開始することで、基地局とAP1との間のトラフィックが繰り返してステアリングされるようになることである。
【００３０】
上述の問題を解決するために、本発明を提案する。以下、図面を参照しながら、本発明を説明する。
【００３１】
3GPP  RANとWLANとの相互操作プロセでは、トラフィックは、3GPP  RANからWLANにステアリングすることができ、又は、トラフィックは、WLANから3GPP  RANにステアリングすることができる。トラフィックがWLANから3GPP  RANにステアリングされる適時性及び正確性を保証するために、本発明は、3GPP  RAN上で伝送されるトラフィックがあるかどうかにもかかわらず、UEがずっと3GPP  RANと接続されるとする。なお、便宜のために、本発明では、トラフィックが3GPP  RANからWLANにステアリングされるケースのみ記載されるが、そのメカニズムは、トラフィックがWLANから3GPP  RANにステアリングされるケースに適用することもできるため、ここでは、その詳しい説明を省略する。
【実施例１】
【００３２】
本実施例は、トラフィックステアリングの制御方法を提供し、該方法は、RANノード、例えば、NodeB（3G中の基地局）、eNodeB（LTE中の基地局）、RAC（Radio  Network  Controller、無線ネットワーク制御器）などに応用され得る。図3は、該方法のフローチャートである。図3に示すように、該方法は、次のようなステップを含む。
【００３３】
ステップ301：トラフィックステアリング指示情報を確定し；
ステップ302：前記トラフィックステアリング指示情報をユーザ装置に送信し、これにより、前記ユーザ装置は、前記トラフィックステアリング指示情報に基づいて対応するトラフィックをトラフィックステアリングターゲットにステアリングする。
【００３４】
本実施例では、該トラフィックステアリング指示情報は、トラフィックステアリング比率であっても良く、トラフィックステアリング比率及びシフト範囲（shift  range）であっても良く、トラフィックステアリングターゲット及びトラフィックステアリング比率、或いは、トラフィックステアリングターゲット、トラフィックステアリング比率及びシフト範囲、或いは、トラフィックステアリングターゲット、トラフィックステアリング及びオフロードされ得るAPN及び/又はベアラのIDであっても良い。実施するシナリオが異なることにより、確定されるトラフィックステアリング指示情報も異なる。
【００３５】
１つのシナリオでは、トラフィックステアリングの決定は、ネットワーク側により補助されて端末により行われる。
【００３６】
該シナリオでは、UEがネットワーク選択及びトラフィックステアリングを決定するので、ネットワーク側（RANノード）からUEに、１つのアドバイスとしてのトラフィックステアリング比率（即ち、提案トラフィックステアリング比率）を指示する。
【００３７】
該シナリオでは、一旦UEが接続モードに入ったら、該RANノードは、自身のノレッジ（knowledge）、例えば、該RANノードのロード、隣接ノードのロード、UEから収集した情報、及び、WLANのAPと該RANノードがアドレス同じの場合に該APから収集した情報などに基づいて、該トラフィックステアリング比率を確定することができる。該トラフィックステアリング比率は、3GPP  RANからWLAN  APへのステアリングについてのものであって良く、WLAN  APから3GPP  RANへのステアリングについてのものであっても良い。
【００３８】
そのうち、UEから収集した情報は、例えば、該UEが行っているトラフィックの量及び該UEの能力などを含んでも良く、該UEの能力は、例えば、RAN補助且つUE決定のネットワーク選択及びトラフィックステアリングをサポートするか、強化（enhanced）ANDSFをサポートするかなどを含んでも良い。そのうち、APとRANノードがアドレス同じの場合に、RANノードは、内部インターフェースにより、APからWLANに関する情報を収集することができ、上述のAPから収集した情報は、例えば、WLANロードなどを含んでも良い。
【００３９】
該シナリオでは、UEがANDSFをサポートせず、RAN補助且つUE決定のネットワーク選択及びトラフィックステアリングのみサポートする場合、該RANノードは、該トラフィックステアリング比率をUEに送信することができる。UEは、該RANノードが指示する該比率に従って、対応するトラフィックをトラフィックステアリングターゲット、例えば、あるWLAN又はあるRANノードにステアリングすることができる。
【００４０】
該シナリオでは、UEがANDSFをサポートし、且つ該RANノードがオペレーターのところから該UEに関するANDSF情報を取得し得る場合、該RANノードは、さらに該ANDSF指示のISRP（Inter-System  Routing  Policy／コアネットワークがトラフィックステアリングを決定するためのポリシー）を参考にして、該トラフィックステアリング比率を確定しUEに送信することができる。UEは、受信した該比率に基づいて、対応するトラフィックをトラフィックステアリングターゲットにステアリングすることができる。
【００４１】
該シナリオでは、UEがANDSFをサポートするが、該RANノードが、オペレーターのところから該UEに関するANDSF情報を得ることができない場合、該RANノードは、同時に、トラフィックステアリング比率及び許されるシフト範囲を確定しUEに送信することができ、UEは、受信したトラフィックステアリング比率及び許されるシフト範囲に基づいて、対応するトラフィックをトラフィックステアリングターゲットにステアリングすることができる。
【００４２】
そのうち、トラフィックステアリング比率は、百分比、即ち、0〜100%であっても良く、整数により表され、例えば、少なくとも7ビットにより表され得る。それは、新しい情報エレメントとして、専用RRCメッセージ、例えば、RRC再構成メッセージに含まれても良く、閾値又はOPIと一緒になっても良く、又は、単独で伝送されても良い。
【００４３】
そのうち、許されるオフセット範囲も、百分比であっても良く、例えば、-5%〜5%であり、それも、新しい情報エレメントとして、専用RRCメッセージ、例えば、RRC再構成メッセージに含まれても良く、閾値又はOPIと一緒になっても良く、又は、単独で伝送されても良い。該許されるシフト範囲は、トラフィックステアリングのシフトを減少させるため導入される値であり、それは、UEがANDSFをサポートするが、RANノードが関連情報を得ることができない時にのみ構成される。
【００４４】
もう１つのシナリオでは、トラフィックステアリングの決定は、ネットワーク側により行われて制御端末により完成される。
【００４５】
該シナリオでは、ネットワーク側がネットワーク選択及びトラフィックステアリングを決定するので、ネットワーク側（RANノード）は、UEに１つの提案トラフィックステアリング比率を指示する以外に、さらに、UEにトラフィックステアリングターゲット、例えば、どのWLAN又はどのRANノードにステアリングするかを指示する。
【００４６】
該シナリオでは、前のシナリオに類似して、一旦UEが接続状態に入ったら、RANノードは、自身のノレッジ（knowledge）、例えば、該RANノードのロード、隣接ノードのロード、UEから収集した情報、測定報告、及び、APとRANノードがアドレス同じの場合にAPから収集した情報などに基づいて、トラフィックステアリングターゲット及びトラフィックステアリング比率を確定することができる。
【００４７】
そのうち、UEから収集した情報は、例えば、該UEが行っているトラフィックの量及び該UEの能力を含んでも良く、該UEの能力は、例えば、RAN補助且つUE決定のネットワーク選択及びトラフィックステアリングをサポートするか、強化（enhanced）ANDSFをサポートするかなどを含んでも良い。そのうち、APとRANノードがアドレス同じの場合に、RANノードは、内部インターフェースにより、APからWLANに関する情報を収集することができ、上述のAPから収集した情報は、例えば、WLANロードなどを含んでも良い。そのうち、RANノードがUEの測定を構成している場合、該RANノードは、さらに、UEの測定により、該UEが報告した測定報告のうちからWLANに関する情報を収集することができ、これにより、トラフィックステアリングターゲットを決定することができる。
【００４８】
該シナリオでは、UEがANDSFをサポートしない場合、該RANノードは、コアネットワークからAPN（Access  Point  Name）及び/又はベアラの情報を取得し、どのようなAPN及び/又はベアラがオフロードされ得るかを確定し、その後、オフロード可能なAPN及び/又はベアラのIDを、前に確定されたトラフィックステアリングターゲット及びトラフィックステアリング比率と一緒にUEに送信することができる。UEは、これらの情報に基づいてトラフィックステアリングを完成することができる。
【００４９】
該シナリオでは、前のシナリオに類似して、UEがANDSFをサポートし、且つ該RANノードがオペレーターのところから該UEに関するANDSF情報を得ることができる場合、該RANノードは、さらに該ANDSF指示のISRPを参考にして、該トラフィックステアリング比率を確定し、そして、該トラフィックステアリング比率を、トラフィックステアリングターゲットと一緒にUEに送信することができる。UEは、受信した該比率に基づいて、対応するトラフィックを該トラフィックステアリングターゲットにステアリングすることができる。
【００５０】
該シナリオでは、前のシナリオに類似して、UEがANDSFをサポートするが、該RANノードがオペレーターのところから該UEに関するANDSF情報を得ることができない場合、該RANノードは、同時に、トラフィックステアリング比率及び許されるシフト範囲を確定し、そして、該トラフィックステアリング比率を、該シフト範囲及びトラフィックステアリングターゲットと一緒にUEに送信することができ、UEは、受信したトラフィックステアリング比率及び許されるシフト範囲に基づいて、対応するトラフィックを該トラフィックステアリングターゲットンにステアリングすることができる。
【００５１】
そのうち、トラフィックステアリング比率及び許されるシフト範囲は、前のシナリオと同じであるため、ここでは、その詳しい説明を省略する。
【００５２】
本実施例の方法により、RANノードからUEに、１つの提案トラフィックステアリング比率を指示することで、RANレベル上での3GPP  RANとWLANとの間のロードバランスを保証することができ、従来のメカニズムに比べ、ユーザ体験及びシステム性能を向上させることができる。
【実施例２】
【００５３】
本実施例は、トラフィックステアリングの制御方法を提供し、該方法は、ユーザ装置（UE）に応用され、それは、実施例1の方法に対応するUE側の処理であり、そのうち、実施例1と同じ内容の重複説明は、省略される。図4は、該方法のフローチャートである。図4に示すように、該方法は、次のようなステップを含む。
【００５４】
ステップ401：RANノードが送信したトラフィックステアリング指示情報を受信し；
ステップ402：前記トラフィックステアリング指示情報に基づいて、対応するトラフィックをトラフィックステアリングターゲットにステアリングする。
【００５５】
本実施例では、実施例1の前のシナリオに対応して、該トラフィックステアリング指示情報は、トラフィックステアリング比率であっても良く、トラフィックステアリング比率及び許されるシフト範囲であっても良い。この場合、該実施例では、該ユーザ装置は、該トラフィックステアリング指示情報を受信した後に、先ず、トラフィックステアリングターゲットを確定し、それから、該トラフィックステアリング比率、或いは、該トラフィックステアリング比率及び該許されるシフト範囲に基づいて、対応するトラフィックを該トラフィックステアリングターゲットにステアリングすることができる。そのうち、トラフィックステアリングターゲットの確定処理は、従来技術の手段により完成することができるため、ここでは、その詳しい説明を省略する。
【００５６】
本実施例では、実施例1の後のシナリオに対応して、該トラフィックステアリング指示情報は、トラフィックステアリングターゲット及びトラフィックステアリング比率であっても良く、トラフィックステアリングターゲット、トラフィックステアリング比率及び許されるシフト範囲であっても良く、また、トラフィックステアリングターゲット、トラフィックステアリング比率及びオフロードされ得るAPN和/又はベアラのIDであっても良い。この場合、該実施例では、該ユーザ装置は、該トラフィックステアリング比率、又は、該トラフィックステアリング比率及び該許されるシフト範囲、又は、該トラフィックステアリング比率及び該オフロードされ得るAPN和/又はベアラのIDに基づいて、対応するトラフィックを前記トラフィックステアリングターゲットにステアリングすることができる。
【００５７】
本実施例の方法により、RANノードからUEに、１つの提案トラフィックステアリング比率を指示することで、RANレベル上での3GPP  RANとWLANとの間のロードバランスを保証することができ、従来メカニズムに比べ、ユーザ体験及びシステム性能を向上させることができる。
【実施例３】
【００５８】
本実施例は、トラフィックステアリングの制御方法を提供し、該方法は、ユーザ装置（UE）に応用され得る。図5は、該方法のフローチャートである。図5に示すように、該方法は、次のようなステップを含む。
【００５９】
ステップ501：トラフィックステアリング指示情報を確定し；
ステップ501：前記トラフィックステアリング指示情報をRANノードに送信し、これにより、前記RANノードは、トラフィックステアリング比率を決定する。
【００６０】
本実施例では、該トラフィックステアリング指示情報は、トラフィックステアリングターゲット及びトラフィックステアリングの提案（アドバイスとしての）比率であっても良く、トラフィックステアリングの提案比率のみであっても良く、また、各測定対象についてのトラフィックステアリングの提案比率であっても良い。なお、実施するシナリオが異なることにより、確定されるトラフィックステアリング指示情報も異なる。
【００６１】
１つのシナリオでは、トラフィックステアリングの決定は、ネットワーク側により補助されて端末により行われる。
【００６２】
該シナリオでは、UEがネットワーク選択及びトラフィックステアリングを決定するので、UEは、ネットワーク側（RANノード）に、トラフィックステアリングターゲット及びトラフィックステアリングの提案比率を指示することができる。
【００６３】
そのうち、UEがANDSFの能力を有せず、即ち、ANDSFをサポートしない場合、アイドル状態の時に、UEは、先ず、RAN補助情報及びプロトコルに規定のルール及びUEの具体的な実現方式に基づいて、ネットワーク選択プロセスを実行し、アクセスしようとするネットワークを確定することができる。その後、接続状態に入る前に、即ち、ランダムアクセスプロセスにおいて、UEは、RANノードに、自身の評価に基づいて確定したトラフィックステアリングターゲット及びトラフィックステアリングの提案比率を指示しても良い。RANノードは、該指示受信後に、自身のノレッジ（knowledge）に基づいて、RAN補助情報及びトラフィックステアリング比率を更新し、そして、UEに１つのトラフィックステアリング更新情報をフィードバックしても良い。該トラフィックステアリング更新情報には、該トラフィックステアリング比率が含まれており、オプションとしては、さらに、更新された該RAN補助情報が含まれても良い。UEは、該RANノードの指示に基づいて、自身のトラフィックステアリングを調整することができる。
【００６４】
そのうち、UEがANDSFの能力を有し、即ち、ANDSFをサポートする場合、アイドル状態の時に、UEは、先ず、RAN補助情報及びプロトコルに規定のルール、該ANDSF、特にそのうちのISRP及びUEの具体的な実現方式に基づいて、ネットワーク選択プロセスを行い、アクセスしようとするネットワークを確定することができる。その後、接続状態に入る前に、即ち、ランダムアクセスプロセスにおいて、UEは、RANノードに、自身の評価に基づいて確定したトラフィックステアリングターゲット及びトラフィックステアリングの提案比率を指示することができる。RANノードは、この指示を受信した後に、自身のノレッジ（knowledge）に基づいて、RAN補助情報及びトラフィックステアリング比率を更新し、そして、UEに１つのトラフィックステアリング更新情報をフィードバックすることができる。該トラフィックステアリング更新情報には、該トラフィックステアリング比率を含んでおり、オプションとしては、さらに、更新された該RAN補助情報を含んでも良い。UEは、該RANノードの指示に基づいて自身のトラフィックステアリングを調整することができる。
【００６５】
もう１つのシナリオでは、トラフィックステアリングの決定は、ネットワーク側により行われて制御端末により完成される。
【００６６】
該シナリオでは、UEがANDSFをサポートしない場合、該UEは、ネットワーク側（RANノード）にトラフィックステアリングの提案比率を指示し、RANノードは、自身のノレッジ（knowledge）及び受信したUE指示の提案比率に基づいて、トラフィックステアリングターゲット及び最終的なトラフィックステアリング比率を確定し、該UEに提供することができる。そのうち、実施例1の後のシナリオに類似して、RANノードは、オフロードされ得るAPN及び/又はベアラのIDを、該トラフィックステアリングターゲット及びトラフィックステアリング比率と一緒に、トラフィックステアリング更新情報として該UEに送信することができる。
【００６７】
該シナリオでは、UEがANDSFをサポートする場合、該UEは、該ANDSFにより指示されたISRPに基づいて、ネットワーク側（RANノード）が構成した各測定対象についてのステアリング可能なトラフィックステアリング比率を確定し、そして、該RANノードに指示することができる。
【００６８】
そのうち、UEは、RANノードに測定報告をフィードバックすることで、各測定対象についてのトラフィックステアリング比率を指示しても良く、独立したリスト（list/table）の方式で各測定対象についてのトラフィックステアリング比率を指示しても良い。
【００６９】
測定報告により各測定対象についてのトラフィックステアリング比率を指示する場合、UEがRANノードに送信する測定報告には、RANノードがUEのために構成した測定対象、UEが各測定対象に対して測定を行った後に得た測定結果、及び、UEがISRPに基づいて確定した各測定対象についてのステアリング可能なトラフィック率を含んでも良い。
【００７０】
リストの方式で各測定対象についてのトラフィックステアリング比率を指示する場合、該リストには、複数の項目を含んでも良く、各項目は、少なくとも、２つの内容を含み、１つは、RANノードがUEのために構成した測定対象であり、もう１つは、UEがISRPに基づいて確定した、該測定対象についてのステアリング可能なトラフィック率である。また、該UEは、さらに、具体的な実現に基づいて、この複数の項目の優先順位を確定し、そして、優先順位の高から低への順序で配列し、又は、ステアリング可能なトラフィック率の大から小への順序で降順配列することができる。
【００７１】
RANノードが、該測定報告又は該UE指示のリストを受信した時に、RANノードは、自身のノレッジ（knowledge）及び実現に基づいて、選択可能な範囲内で、トラフィックステアリングターゲット及び対応するトラフィックステアリング比率を確定し、そして、該トラフィックステアリング比率及びトラフィックステアリングターゲットをトラフィックステアリング更新情報として一緒にUEに送信することができる。
【００７２】
本実施例では、UEが、RANノードがフィードバックしたトラフィックステアリング更新情報を受信したら、該UEは、該トラフィックステアリング更新情報に基づいて、そのトラフィックステアリング比率を調整し、そして、該トラフィックステアリング比率に基づいて対応するトラフィックをトラフィックステアリングターゲットにステアリングすることができる。
【００７３】
そのうち、該トラフィックステアリング更新情報にトラフィックステアリングターゲットが含まれず、トラフィックステアリング比率のみ含まれる場合、本実施例の前のシナリオに対応して、該トラフィックステアリングターゲットが該UEにより決定されるため、該UEは、該トラフィックステアリング比率に基づいて、対応するトラフィックを該トラフィックステアリングターゲットにステアリングすることができる。
【００７４】
そのうち、該トラフィックステアリング更新情報にトラフィックステアリングターゲットが含まれ、同時に、さらにトラフィックステアリング比率、又は、トラフィックステアリング比率及びオフロードされ得るAPN及び/又はベアラのIDも含まれる場合、本実施例の後のシナリオに対応して、該トラフィックステアリングターゲットが該RANノードにより決定されて該UEに指示されるため、該UEは、該トラフィックステアリング比率、又は、トラフィックステアリング比率及びオフロードされ得るAPN及び/又はベアラのIDに基づいて、対応するトラフィックを該トラフィックステアリングターゲットにステアリングすることができる。
【００７５】
本実施例の方法により、UEからRANノードに、１つの提案トラフィックステアリング比率を指示することで、RANレベル上での3GPP  RANとWLANとの間のロードバランスを保証することができ、従来のメカニズムに比べ、ユーザ体験及びシステム性能を向上させることができる。
【実施例４】
【００７６】
本実施例は、トラフィックステアリングの制御方法を提供し、該方法は、RANノード、例えば、NodeB（3G中の基地局）、eNodeB（LTE中の基地局）、RAC（Radio  Network  Controller、無線ネットワーク制御器）などに応用され、それは、実施例3の方法に対応するネットワーク側の処理であり、そのうち、実施例3と同じ内容の重複説明は、省略される。図6は、該方法のフローチャートであり、図6に示すように、該方法は、次のようなステップを含む。
【００７７】
ステップ601：ユーザ装置が送信したトラフィックステアリング指示情報を受信し；
ステップ602：前記トラフィックステアリング指示情報に基づいて、トラフィックステアリング比率を確定し；
ステップ603：前記トラフィックステアリング比率を前記ユーザ装置に送信し、これにより、前記ユーザ装置は、前記トラフィックステアリング比率に基づいて対応するトラフィックをトラフィックステアリングターゲットにステアリングする。
【００７８】
そのうち、実施例3に対応して、該トラフィックステアリング指示情報は、トラフィックステアリングターゲット及びトラフィックステアリングの提案比率を含み、又は、トラフィックステアリングの提案比率を含み、又は、各測定対象についてのトラフィックステアリングの提案比率を含む。
【００７９】
そのうち、該トラフィックステアリング指示情報がトラフィックステアリングターゲット及びトラフィックステアリングの提案比率を含む場合、実施例3の前のシナリオに対応して、該RANノードは、自身のノレッジ（knowledge）に基づいて、RAN補助情報及びトラフィックステアリング比率を更新し、そして、ユーザ装置にトラフィックステアリング更新情報をフィードバックすることができ、該トラフィックステアリング更新情報には、少なくとも、該トラフィックステアリング比率が含まれる。これにより、ユーザ装置は、該トラフィックステアリング比率に基づいて、対応するトラフィックをトラフィックステアリングターゲットにステアリングすることができる。
【００８０】
そのうち、該トラフィックステアリング指示情報がトラフィックステアリングの提案比率のみを含む場合、実施例3の後のシナリオにおけるUEがANDSFをサポートしないケースに対応して、該RANノードは、トラフィックステアリング比率を確定する必要がある以外に、トラフィックステアリングターゲットを確定する必要もあり、その後、ユーザ装置にトラフィックステアリング更新情報フィードバックし、該トラフィックステアリング更新情報には、少なくとも、該トラフィックステアリングターゲット及び該トラフィックステアリング比率が含まれる。これにより、ユーザ装置は、該トラフィックステアリング比率に基づいて、対応するトラフィックを該トラフィックステアリングターゲットにステアリングすることができる。
【００８１】
そのうち、該トラフィックステアリング比率及び該トラフィックステアリングターゲットを確定する時に、該RANノードは、自身のノレッジ（knowledge）、例えば、該RANノードのロード、隣接ノードのロード、UEから収集した情報、測定報告、UEが提案したトラフィックステアリング比率、及び、AP及び基地局がアドレス同じの場合にAPから収集した情報などに基づいて、該トラフィックステアリング比率及び該トラフィックステアリングターゲットを確定することができる。同様に、該トラフィックステアリング比率は、3GPP  RANからWLAN  APへのステアリングについてのものであっても良く、WLAN  APから3GPP  RANへのステアリングについてのものであっても良く、該トラフィックステアリングターゲットは、WLAN又は3GPP  RANであっても良い。
【００８２】
そのうち、UEから収集した情報は、例えば、該UEが行っているトラフィックの量及び該UEの能力を含んでも良く、該UEの能力は、例えば、RAN補助且つUE決定のネットワーク選択及びトラフィックステアリングをサポートするか、強化（enhanced）ANDSFをサポートするかなどを含んでも良い。そのうち、AP及びRANノードがアドレス同じの場合に、RANノードは、内部インターフェースにより、APからWLANに関する情報を収集しても良く、上述のAPから収集した情報は、例えば、WLANロードなどを含んでも良い。そのうち、RANノードがUEの測定を構成した場合、該RANノードは、さらに、UEの測定に基づいて該UEが報告した測定報告からWLANに関する情報を収集し、これにより、トラフィックステアリングターゲットを決定することができる。
【００８３】
そのうち、該ユーザ装置がANDSFをサポートしない場合、該RANノードは、さらに、オフロードされ得るAPN及び/又はベアラのIDを確定し、そして、ユーザ装置にトラフィックステアリング更新情報をフィードバックすることができ、該トラフィックステアリング更新情報には、該トラフィックステアリングターゲット及び該トラフィックステアリング比率以外に、さらにオフロードされ得るAPN及び/又はベアラのIDも含まれる。これにより、ユーザ装置は、該トラフィックステアリング比率及び該オフロードされ得るAPN及び/又はベアラのIDに基づいて、対応するトラフィックを該トラフィックステアリングターゲットにステアリングすることができる。そのうち、実施例1と同様に、該RANノードは、コアネットワークからAPN及び/又はベアラの情報を取得し、どのようなAPN及び/又はベアラがオフロードされ得るかを確定し、そして、オフロードされ得るAPN及び/又はベアラのIDを、確定されたトラフィックステアリングターゲット及びトラフィックステアリング比率と一緒に、上述のトラフィックステアリング更新情報によりUEに送信することができる。
【００８４】
そのうち、該トラフィックステアリング指示情報が、各測定ターゲットについてのトラフィックステアリングの提案比率を含む場合、実施例3の後のシナリオにおけるUEがANDSFをサポートするケースに対応して、該各測定ターゲットについてのトラフィックステアリングの提案比率は、測定報告と一緒に該RANノードにフィードバックすることができ、単独のリストで該RANノードにフィードバックすることもでき、この場合、該RANノードは、受信した情報に基づいて、最終的なトラフィックステアリングターゲット及びトラフィックステアリング比率を確定し、そして、上述のトラフィックステアリング更新情報によりUEに送信することができる。
【００８５】
本実施例の方法により、UEからRANノードに１つの提案トラフィックステアリング比率を指示することで、RANレベル上での3GPP  RANとWLANとの間のロードバランスを保証することができ、従来のメカニズムに比べ、ユーザ体験及びシステム性能を向上させることができる。
【実施例５】
【００８６】
本実施例は、トラフィックステアリングの制御装置を提供し、前記装置は、RANノード、例えば、NodeB（3G中の基地局）、eNodeB（LTE中の基地局）、RAC（Radio  Network  Controller、無線ネットワーク制御器）などに応用され得る。該装置が問題を解決する原理は、実施例1の方法に類似したので、その具体的な実施は、実施例1の方法の実施を参照することができ、内容が同じである重複説明は、省略される。
【００８７】
図7は、該装置の構成図である。図7に示すように、該トラフィックステアリングの制御装置700は、確定ユニット701及び送信ユニット702を含む。
【００８８】
確定ユニット701は、トラフィックステアリング指示情報を確定するために用いられ；
送信ユニット702は、前記トラフィックステアリング指示情報をユーザ装置に送信するために用いられ、これにより、前記ユーザ装置は、前記トラフィックステアリング指示情報に基づいて、対応するトラフィックをトラフィックステアリングターゲットにステアリングする。
【００８９】
本実施例では、該トラフィックステアリング指示情報は、トラフィックステアリング比率、又は、トラフィックステアリング比率及びシフト範囲、又は、トラフィックステアリングターゲット及びトラフィックステアリング比率、又は、トラフィックステアリングターゲット、トラフィックステアリング比率及びシフト範囲、又は、トラフィックステアリングターゲット、トラフィックステアリング及びオフロードされ得るAPN及び/ベアラのIDであっても良い。
【００９０】
そのうち、ユーザ装置がANDSFをサポートし、且つ前記RANノードが前記ユーザ装置に関するANDSF情報を取得し得る場合、前記トラフィックステアリング指示情報は、トラフィックステアリング比率であり、又は、トラフィックステアリングターゲット及びトラフィックステアリング比率である。
【００９１】
そのうち、ユーザ装置がANDSFをサポートするが、前記RANノードが前記ユーザ装置に関するANDSF情報を得ることができない場合、前記トラフィックステアリング指示情報は、トラフィックステアリング比率及びシフト範囲であり、又は、トラフィックステアリングターゲット、トラフィックステアリング比率及びシフト範囲である。
【００９２】
そのうち、ユーザ装置がANDSFをサポートしない場合、前記トラフィックステアリング指示情報は、トラフィックステアリングターゲット、トラフィックステアリング及びオフロードされ得るAPN及び/又はベアラのIDである。
【００９３】
本実施例の装置により、RANノードからUEに１つの提案トラフィックステアリング比率を指示することで、RANレベル上での3GPP  RANとWLANと間のロードバランスを保証することができ、従来のメカニズムに比べ、ユーザ体験及びシステム性能を改善することができる。
【実施例６】
【００９４】
本実施例は、トラフィックステアリングの制御装置を提供し、前記装置は、ユーザ装置に応用され得る。該装置が問題を解決する原理は、実施例2の方法に類似したので、その具体的な実施は、実施例2の方法の実施を参照することができ、内容が同じである重複説明は、省略される。
【００９５】
図8は、該装置の構成図である。図8に示すように、該トラフィックステアリングの制御装置800は、受信ユニット801及び処理ユニット802を含む。
【００９６】
受信ユニット801は、RANノードが送信したトラフィックステアリング指示情報を受信するために用いられ；
処理ユニット802は、前記トラフィックステアリング指示情報に基づいて、対応するトラフィックをトラフィックステアリングターゲットにステアリングするために用いられる。
【００９７】
１つの実施方式では、該処理ユニット802は、次のようなものを含み、即ち、
第一確定モジュール8021：前記トラフィックステアリング指示情報がトラフィックステアリング比率である時に、トラフィックステアリングターゲットを確定し；
第一処理モジュール8022：前記トラフィックステアリング比率に基づいて、対応するトラフィックを前記トラフィックステアリングターゲットにステアリングする。
【００９８】
もう１つの実施方式では、該処理ユニット802は、次のようなものを含み、即ち、
第二確定モジュール8023：前記トラフィックステアリング指示情報がトラフィックステアリング比率及びシフト範囲である時に、トラフィックステアリングターゲットを確定し；
第二処理モジュール8024：前記トラフィックステアリング比率及び前記オフセット範囲に基づいて、対応するトラフィックを前記トラフィックステアリングターゲットにステアリングする。
【００９９】
もう１つの実施方式では、該処理ユニット802は、次のようなものを含み、即ち、
第三処理モジュール8025：前記トラフィックステアリング指示情報がトラフィックステアリングターゲット及びトラフィックステアリング比率である時に、前記トラフィックステアリング比率に基づいて、対応するトラフィックを前記トラフィックステアリングターゲットにステアリングする。
【０１００】
もう１つの実施方式では、該処理ユニット802は、次のようなものを含み、即ち、
第四処理モジュール8026：前記トラフィックステアリング指示情報がトラフィックステアリングターゲット、トラフィックステアリング比率及びシフト範囲である時に、前記トラフィックステアリング比率及び前記シフト範囲に基づいて、対応するトラフィックを到前記トラフィックステアリングターゲットにステアリングする。
【０１０１】
もう１つの実施方式では、該処理ユニット802は、次のようなものを含み、即ち、
第五処理モジュール8027：前記トラフィックステアリング指示情報がトラフィックステアリングターゲット、トラフィックステアリング比率及びオフロードされ得るAPN及び/又はベアラのIDである時に、前記トラフィックステアリング比率及び前記オフロードされ得るAPN及び/又はベアラのIDに基づいて、対応するトラフィックを前記トラフィックステアリングターゲットにステアリングする。
【０１０２】
本実施例の装置により、RANノードからUEに１つの提案トラフィックステアリング比率を指示することで、RANレベル上での3GPP  RANとWLANと間のロードバランスを保証することができ、従来のメカニズムに比べ、ユーザ体験及びシステム性能を向上させることができる。
【実施例７】
【０１０３】
本実施例は、トラフィックステアリングの制御装置を提供し、該装置は、ユーザ装置に応用され得る。該装置が問題を解決する原理は、実施例3の方法に類似したので、その具体的な実施は、実施例3の方法の実施を参照することができ、内容が同じである重複説明は、省略される。
【０１０４】
図9は、該装置の構成図である。図9に示すように、該トラフィックステアリングの制御装置900は、確定ユニット901及び送信ユニット902を含む。
【０１０５】
確定ユニット901は、トラフィックステアリング指示情報を確定するために用いられ；
送信ユニット902は、前記トラフィックステアリング指示情報をRANノードに送信するために用いられ、これにより、前記RANノードは、トラフィックステアリング比率を決定する。
【０１０６】
本実施例では、前記トラフィックステアリング指示情報は、トラフィックステアリングターゲット及びトラフィックステアリングの提案比率；又は、トラフィックステアリングの提案比率；又は、各測定対象についてのトラフィックステアリングの提案比率である。そのうち、端末がネットワーク選択及びトラフィックステアリングを決定する場合、該トラフィックステアリング指示情報は、トラフィックステアリングターゲット及びトラフィックステアリングの提案比率を含み、RANノードがネットワーク選択及びトラフィックステアリングを決定する場合、該トラフィックステアリング指示情報は、トラフィックステアリングの提案比率（UEがANDSFをサポートしない）、又は、各測定対象についてのトラフィックステアリングの提案比率（UEがANDSFをサポートする）を含み、該提案比率は、測定報告により指示されても良く、単独のリストで指示されても良い。
【０１０７】
１つの実施方式中、該装置900は、さらに、次のようなものを含んでも良く、即ち、
選択ユニット903：前記確定ユニット901がトラフィックステアリング指示情報を確定する前に、ネットワーク選択プロセスを行い、アクセスしようとするネットワークを確定する。
【０１０８】
１つの実施方式では、該装置900は、さらに、次のようなものを含んでも良く、即ち、
調整ユニット904：前記ユーザ装置が、RANノードがフィードバックしたトラフィックステアリング更新情報を受信した時に、前記トラフィックステアリング更新情報に基づいて、トラフィックステアリング比率を調整し；及び
処理ユニット905：前記トラフィックステアリング比率に基づいて対応するトラフィックをトラフィックステアリングターゲットにステアリングする。
【０１０９】
そのうち、前記トラフィックステアリング更新情報は、トラフィックステアリング比率；又はトラフィックステアリングターゲット及びトラフィックステアリング比率；又はトラフィックステアリングターゲット、トラフィックステアリング比率及びオフロードされ得るAPN及び/又はベアラのIDを含む。
【０１１０】
本実施例の装置により、UEからRANノードに１つの提案トラフィックステアリング比率を指示することで、RANレベル上での3GPP  RANとWLANとの間のロードバランスを保証することができ、従来のメカニズムに比べ、ユーザ体験及びシステム性能を改善することができる。
【実施例８】
【０１１１】
本実施例は、トラフィックステアリングの制御装置を提供し、該装置は、RANノード、例えば、NodeB（3G中の基地局）、eNodeB（LTE中の基地局）、RAC（Radio  Network  Controller、無線ネットワーク制御器）などに応用され得る。該装置が問題を解決する原理は、実施例4の方法に類似したので、その具体的な実施は、実施例4の方法の実施を参照することができ、内容が同じである重複説明は、省略される。
【０１１２】
図10は、該装置の構成図である。図10に示すように、該トラフィックステアリングの制御装置1000は、受信ユニット1001、第一確定ユニット1002及び送信ユニット1003を含む。
【０１１３】
受信ユニット1001は、ユーザ装置が送信したトラフィックステアリング指示情報を受信し；
第一確定ユニット1002は、前記トラフィックステアリング指示情報に基づいて、トラフィックステアリング比率を確定し；
送信ユニット1003は、前記トラフィックステアリング比率を前記ユーザ装置に送信し、これにより、前記ユーザ装置は、前記トラフィックステアリング比率に基づいて対応するトラフィックをトラフィックステアリングターゲットにステアリングする。
【０１１４】
本実施例では、前記トラフィックステアリング指示情報は、トラフィックステアリングターゲット及びトラフィックステアリングの提案比率；又はトラフィックステアリングの提案比率；又は各測定対象についてのトラフィックステアリングの提案比率を含む。そのうち、端末がネットワーク選択及びトラフィックステアリングを決定する場合、該トラフィックステアリング指示情報は、トラフィックステアリングターゲット及びトラフィックステアリングの提案比率を含み、RANノードがネットワーク選択及びトラフィックステアリングを決定する場合、該トラフィックステアリング指示情報は、トラフィックステアリングの提案比率（UEがANDSFをサポートしない）、又は各測定対象についてのトラフィックステアリングの提案比率（UEがANDSFをサポートする）を含み、該提案比率は、測定報告により指示されても良く、単独のリストで指示されても良い。
【０１１５】
１つの実施方式では、該装置1000は、さらに、次のようなものを含み、即ち、
第二確定ユニット1004：前記トラフィックステアリング指示情報がトラフィックステアリングの提案比率のみ含む（基地局がネットワーク選択及びトラフィックステアリングを決定し、ユーザ装置がANDSFをサポートしない）時に、トラフィックステアリングターゲット及びオフロードされ得るAPN及び/又はベアラのIDを確定する。そのうち、前記送信ユニット1003は、前記トラフィックステアリングターゲット、前記トラフィックステアリング比率及び前記オフロードされ得るAPN及び/又はベアラのIDを前記ユーザ装置に送信し、これにより、前記ユーザ装置は、前記トラフィックステアリングターゲット、前記トラフィックステアリング比率及び前記オフロードされ得るAPN及び/又はベアラのIDに基づいて、対応するトラフィックを前記トラフィックステアリングターゲットにステアリングすることができる。
【０１１６】
１つの実施方式では、該装置1000は、さらに、次のようなものを含んでも良く、即ち、
第三確定ユニット1005：前記トラフィックステアリング指示情報がトラフィックステアリングターゲット及びトラフィックステアリングの提案比率を含む（UEがネットワーク選択及びトラフィックステアリングを決定する）時に、RANノードのノレッジ（knowledge）に基づいて、RAN補助情報及びトラフィックステアリング比率を更新する。そのうち、前記送信ユニット1003は、前記トラフィックステアリング比率を前記ユーザ装置に送信し、これにより、前記ユーザ装置は、前記トラフィックステアリング比率に基づいて対応するトラフィックを前記トラフィックステアリングターゲットにステアリングすることができる。
【０１１７】
１つの実施方式では、該装置1000は、さらに、次のようなものを含んでも良く、即ち、
第四確定ユニット1006：前記トラフィックステアリング指示情報が各測定対象についてのトラフィックステアリングの提案比率を含む（基地局がネットワーク選択及びトラフィックステアリングを決定し、UEがANDSFをサポートする）時に、RANノードのノレッジ（knowledge）に基づいて、該範囲内でトラフィックステアリングターゲット及び対応するトラフィックステアリング比率を選択して確定する。そのうち、前記送信ユニット1003は、前記トラフィックステアリングターゲット及び対応するトラフィックステアリング比率を前記ユーザ装置に送信し、これにより、前記ユーザ装置は、前記トラフィックステアリング比率に基づいて、対応するトラフィックを前記トラフィックステアリングターゲットにステアリングすることができる。
【０１１８】
本実施例の装置により、UEからRANノードに１つの提案トラフィックステアリング比率を指示することで、RANレベル上での3GPP  RANとWLANとの間のロードバランスを保証することができ、従来のメカニズムに比べ、ユーザ体験及びシステム性能を改善することができる。
【実施例９】
【０１１９】
本発明の実施例は、さらに、ユーザ装置を提供する。そのうち、該ユーザ装置は、実施例6又は7に記載のトラフィックステアリングの制御装置を含む。
【０１２０】
図11は、本発明の実施例のユーザ装置の構成図である。図11に示すように、該ユーザ装置1100は、中央処理装置1101及び記憶器1102を含み、記憶器1102は、中央処理装置1101に接続される。なお、該図は、例示に過ぎず、さらに他の類型の構成を以て、該構成に対して補充又は代替を行うことで、電気通信機能又は他の機能を実現することもできる。
【０１２１】
１つの実施方式では、トラフィックステアリングの制御装置の機能は、中央処理装置1101に統合することができ、中央処理装置1101により、実施例6又は7に記載のトラフィックステアリングの制御装置の機能を実現することができ、そのうち、トラフィックステアリングの制御装置の機能は、ここに合併され、ここでは、その詳しい説明を省略する。
【０１２２】
もう１つの実施方式では、トラフィックステアリングの制御装置は、中央処理装置1101と独立して配置されても良く、例えば、トラフィックステアリングの制御装置を、中央処理装置1101に接続されるチップとして構成し、中央処理装置1101の制御によりトラフィックステアリングの制御装置の機能を実現しても良い。
【０１２３】
図11に示すように、該ユーザ装置1100は、さらに、通信モジュール1103、入力ユニット1104、音声処理ユニット1105、表示器1106、電源1107を含んでも良い。なお、ユーザ装置1100は、必ずしも図11中の全ての部品を含む必要がない。また、ユーザ装置1100は、さらに、図11に無いものを含んで良く、これについては、従来技術を参照することができる。
【０１２４】
図11に示すように、中央処理装置1101は、制御器又は操作コントローラと称される場合があり、マイクロプロセッサ又は他の処理装置及び/又は論理装置を含んでも良く、該中央処理装置1101は、入力を受信し、ユーザ装置1100の各部品の操作を制御することができる。
【０１２５】
そのうち、記憶器1102は、例えば、バッファ、フレッシュメモリ、HDD、移動可能な媒体、揮発性記憶器、不揮発失性記憶器又は他の適切な装置のうちの一つ又は複数であっても良い。上述の構成に関する情報を記憶することができ、さらに情報処理用のプログラムを記憶することもできる。また、中央処理装置1101は、記憶器1102に記憶の該プログラムを、情報の記憶又は処理などを実現するために実行することもできる。なお、他の部品の機能は、従来に類似したので、ここでは、その詳しい説明を省略する。また、ユーザ装置1100の各部品は、専用ハードウェア、ファームウェア、ソフトウェア又はその組み合わせにより実現することもでき、これらは、全て、本発明の範囲に属する。
【０１２６】
本実施例のユーザ装置により、RANノードからUEに１つのトラフィックステアリングの提案比率を指示することで、RANレベル上での3GPP  RANとWLANとの間動ロードバランスを保証することができ、従来のメカニズムに比べ、ユーザ体験及びシステム性能を改善することができる。
【実施例１０】
【０１２７】
本発明の実施例は、さらに、RANノード、例えば、NodeB（3G中の基地局）、eNodeB（LTE中の基地局）、RAC（Radio  Network  Controller、無線ネットワーク制御器）などを提供し、そのうち、該RANノードは、実施例5又は8に記載のトラフィックステアリングの制御装置を含む。
【０１２８】
図12は、本発明の実施例のRANノードの１つの実施方式の構成図である。図12に示すように、RANノード1200は、中央処理装置（CPU）1201及び記憶器1202を含み、記憶器1202は、中央処理装置1201に接続される。そのうち、該記憶器1202は、各種のデータを記憶することができ、また、さらに情報処理用のプログラムを記憶することもでき、且つ中央処理装置1201の制御下で該プログラムを、ユーザ装置が送信した各種情報を受信し、また、ユーザ装置に各種の情報を送信するように実行することもできる。
【０１２９】
１つの実施方式では、トラフィックステアリングの制御装置の機能は、中央処理装置1201に統合することができ、中央処理装置1201により実施例5又は8に記載のトラフィックステアリングの制御装置の機能を実現することができ、そのうち、トラフィックステアリングの制御装置の機能は、ここに合併され、ここでは、その説明を省略する。
【０１３０】
もう１つの実施方式では、トラフィックステアリングの制御装置は、中央処理装置1201と別々で配置されても良く、例えば、トラフィックステアリングの制御装置を、中央処理装置1201に接続されるチップとして構成し、中央処理装置1201の制御によりトラフィックステアリングの制御装置の機能を実現しても良い。
【０１３１】
また、図12に示すように、RANノード1200は、さらに、送受信機1203及びアンテナ1204などを含んでも良く、そのうち、上述の部品の機能は、従来技術に類似したので、ここでは、その詳細な説明を省略する。なお、RANノード1200は、必ずしも図12の全ての部品を含む必要がない。また、RANノード1200は、さらに、図12に無いものを含んでも良く、これについては、従来技術を参照することができる。
【０１３２】
本実施例のRANノードにより、UEからRANノードに１つのトラフィックステアリングの提案比率を指示することで、RANレベル上での3GPP  RANとWLANとの間のロードバランスを保証することができ、従来のメカニズムに比べ、ユーザ体験及びシステム性能を改善することができる。
【実施例１１】
【０１３３】
本発明の実施例は、さらに、通信システムを提供し、図13は、通信システムのトポロジー構成図である。図13に示すように、該通信システム1300は、ユーザ装置1301及びRANノード1302を含む。該RANノード1302は、NodeB（3G中の基地局）、eNodeB（LTE中の基地局）、RAC（Radio  Network  Controller、無線ネットワーク制御器）などであっても良い。
【０１３４】
そのうち、該ユーザ装置1301は、実施例9のユーザ装置により実現されても良く、その内容は、ここに合併され、ここでは、その詳しい説明を省略する。
【０１３５】
そのうち、該RANノード1302は、実施例10のRANノードにより実現されても良く、その内容は、ここに合併され、ここでは、その詳しい説明を省略する。
【０１３６】
本実施例の通信システムにより、RANレベル上での3GPP  RANとWLANとの間のロードバランスを保証することができ、従来のメカニズムに比べ、ユーザ体験及びシステム性能。を改善することができる
本発明の実施例は、さらに、コンピュータ可読プログラムを提供し、そのうち、トラフィックステアリングの制御装置又はユーザ装置中で前記プログラムを実行する時に、前記プログラムは、コンピュータに、前記トラフィックステアリングの制御装置又はユーザ装置中で、実施例2又は3に記載のトラフィックステアリングの制御方法を実行させる。
【０１３７】
本発明の実施例は、さらに、コンピュータ可読プログラムを記憶した記憶媒体を提供し、そのうち、前記コンピュータ可読プログラムは、コンピュータに、トラフィックステアリングの制御装置又はユーザ装置中執で実施例2又は3に記載のトラフィックステアリングの制御方法を実行させる。
【０１３８】
本発明の実施例は、さらに、コンピュータ可読プログラムを提供し、そのうち、トラフィックステアリングの制御装置又はRANノード中で前記プログラムを実行する時に、前記プログラムは、コンピュータに、トラフィックステアリングの制御装置又はRANノード中で実施例1又は4に記載のトラフィックステアリングの制御方法を実行させる。
【０１３９】
本発明の実施例は、さらに、コンピュータ可読プログラムを記憶した記憶媒体を提供し、そのうち、前記コンピュータ可読プログラムは、コンピュータに、トラフィックステアリングの制御装置又は基地局中執で、実施例1又は4に記載のトラフィックステアリングの制御方法を実行させる。
【０１４０】
本発明の実施例による装置及び方法は、ソフトウェアにより実現されても良く、ハードェアにより実現されてもよく、ハードウェア及びソフトウェアの組み合わせにより実現されても良い。また、本発明は、このようなコンピュータ可読プログラムにも関し、即ち、前記プログラムは、ロジック部品により実行される時に、前記ロジック部品に、上述の装置又は構成要素を実現させることができ、又は、前記ロジック部品に、上述の方法又はそのステップを実現させることができる。さらに、本発明は、上述のプログラムを記憶するための記憶媒体、例えば、ハードディスク、磁気ディスク、光ディスク、DVD、フレッシュメモリなどにも関する。
【０１４１】
以上、本発明の好ましい実施方式を説明したが、本発明はこの実施方式に限定されず、本発明の趣旨を離脱しない限り、本発明に対するあらゆる変更は本発明の技術的範囲に属する。
【図１】
0006504257.tif 000002
【図２】
0006504257.tif 000003
【図３】
0006504257.tif 000004
【図４】
0006504257.tif 000005
【図５】
0006504257.tif 000006
【図６】
0006504257.tif 000007
【図７】
0006504257.tif 000008
【図８】
0006504257.tif 000009
【図９】
0006504257.tif 000010
【図１０】
0006504257.tif 000011
【図１１】
0006504257.tif 000012
【図１２】
0006504257.tif 000013
【図１３】
0006504257.tif 000014